(57)【要約】【課題】支柱をパネルに対して短くしても飛沫を確実にブロックすることが可能な間仕切りを提供する。【解決手段】横断面における第１方向の両側から設けられた一対の第１スリット１３を有する支柱３と、支柱３の第１スリット１３に差し込まれて支持され、第１方向に対して交差する第２方向から見たときに第１方向の端部５ａが相互に重なる一対の第１パネル５と、を備える。一対の第１スリット１３は、第１方向の両側から横断面における中心Ｏを交差せずに越えて伸びる。【選択図】図４
0003228453.tif 000002
【実用新案登録請求の範囲】
【請求項１】
横断面における第１方向の両側から設けられた一対の第１スリットを有する支柱と、
前記支柱の第１スリットに差し込まれて支持され、前記第１方向に対して交差する第２方向から見たときに前記第１方向の端部が相互に重なる一対の第１パネルと、
を備えた間仕切り。
【請求項２】
請求項１記載の間仕切りであって、
前記一対の第１スリットは、前記第１方向の両側から前記横断面における中心を交差せずに越えて伸びる、
間仕切り。
【請求項３】
請求項１又は２記載の間仕切りであって、
前記支柱の前記第２方向の両側から設けられた一対の第２スリットと、
前記支柱の前記第２スリットに差し込まれて支持され、前記第２方向で手前側の第１パネルを越えると共に前記第１方向で側面に対向させ、且つ前記第２方向で奥側の第１パネルの側面に端部が対向する一対の第２パネルと、
を備えた間仕切り。
【請求項４】
請求項３記載の間仕切りであって、
前記一対の第２スリットは、前記第２方向において手前側の第１スリットを越えると共に奥側の第１スリットに向かって伸びる、
間仕切り。
【請求項５】
請求項３又は４記載の間仕切りであって、
前記支柱は、前記第１及び第２パネルの下部を支持する四角柱であり、
前記第１スリットは、前記支柱の前記第２方向に直交する外面から設けられ、
前記第２スリットは、前記支柱の前記第１方向に直交する外面から設けられる、
間仕切り。
【請求項６】
請求項３又は４記載の間仕切りであって、
前記支柱は、前記第１及び第２パネルの下部を支持し、前記一対の第１スリットをそれぞれ区画する一対の第１部材と、前記一対の第２スリットをそれぞれ区画する一対の第２部材とを備え、
前記第１部材は、前記第２部材の端部を前記第２方向で突き当てた状態で結合され、前記第２部材は、前記第１部材の端部を前記第１方向で突き当てた状態で結合された、
間仕切り。
【請求項７】
請求項５又は６記載の間仕切りであって。
前記第１及び第２パネルの上部を保持する保持部材を備えた、
間仕切り。
【請求項８】
柱状の本体部と、
前記本体部の横断面における第１方向の両側から設けられた一対の第１スリットと、
前記本体部の前記横断面における前記第１方向に対して交差する第２方向の両側から設けられた一対の第２スリットとを備え、
前記第１スリットは、前記第１方向で手前側の第２スリットを越えて奥側の第２スリットに向かって伸び、
前記第２スリットは、前記第２方向で手前側の第１スリットを越えて奥側の第１スリットに向かって伸びる、
支柱。
【考案の詳細な説明】
【技術分野】
【０００１】
本考案は、複数のパネルを結合した間仕切り及びその支柱に関する。
【背景技術】
【０００２】
コロナウイルス等による飛沫感染症対策としては、マスク等を着用して飛沫を生じさせないようにすることが重要である。
【０００３】
しかし、食事の際には、マスクを着用することができず、また、会議等においては、マスクを着用していると相手の表情が見えないことや話し声が聞こえにくくなること等の理由から、マスクを着用しない場合がある。
【０００４】
こうしたマスクを着用しない状況においては、仮設の間仕切りが用いられ、飛沫のブロックがなされている。
【０００５】
従来の間仕切りとしては、例えば特許文献１に記載のように、支柱の外周に複数の溝を設け、この溝にパネルを差し込むことで支持するものがある。この間仕切りでは、支柱周りに複数のパネルを支持して連結し、これを単独で或いはさらに複数連結して用いることにより、前後及び左右の一方又は双方に対する間仕切りとすることができる。
【０００６】
かかる間仕切りでは、複数のパネルを連結して用いても、連結されているパネルの端部間を支柱で埋めるので、飛沫を確実にブロックすることができる。
【０００７】
しかし、飛沫を確実にブロックするには、支柱をパネルと同一の高さで形成する必要があるが、間仕切り全体としての重心が高くなって安定性が低下するという問題があった。
【０００８】
これに対し、支柱をパネルに対して短くすればよいが、この場合は、連結されているパネルの端部間に前後、左右、又は斜めの間仕切り領域間を向かい合う方向において直線的に連通させる空間部が生じるので、飛沫をブロックできなかった。
【先行技術文献】
【特許文献】
【０００９】
【特許文献１】特開２０１８−１９９９８０
【考案の概要】
【考案が解決しようとする課題】
【００１０】
解決しようとする問題点は、支柱をパネルに対して短くすると飛沫をブロックできない点である。
【課題を解決するための手段】
【００１１】
本考案は、横断面における第１方向の両側から設けられた一対の第１スリットを有する支柱と、前記支柱の第１スリットに差し込まれて支持され、前記第１方向に対して交差する第２方向から見たときに前記第１方向の端部が相互に重なる一対の第１パネルとを備えた間仕切りを最も主な特徴とする。
【考案の効果】
【００１２】
本考案によれば、支柱を第１パネルに対して短くしても飛沫を確実にブロックすることができる。
【図面の簡単な説明】
【００１３】
【図１】間仕切りを示す斜視図である（実施例１）。
【図２】（Ａ）〜（Ｃ）は、間仕切りの他の構成例を示す概略平面図であり、（Ａ）は一対の第２パネルを省略した構成例、（Ｂ）は第２パネルの一方を省略した構成例、（Ｃ）は複数の間仕切りを連結した構成例である（実施例１）。
【図３】図１の間仕切りに用いられる支柱を示す斜視図である（実施例１）。
【図４】図３の支柱の平面図である（実施例１）。
【図５】図１の間仕切りに用いられる保持部材を示す斜視図である（実施例１）。
【図６】図５の保持部材の底面図である（実施例１）。
【図７】図５の保持部材と第１パネルとの係合状態を示す要部断面図である（実施例１）。
【図８】間仕切りに用いられる支柱を示す斜視図である（実施例２）。
【図９】図８の支柱を示す概略平面図である（実施例２）。
【考案を実施するための形態】
【００１４】
支柱をパネルに対して短くしても飛沫を確実にブロックするという目的を、少なくも一対の第１パネルを支柱の横断面における第１方向の両側から差し込み、第１パネルの第１方向の端部を第１方向に交差する第２方向から見たときに重なるように構成した間仕切りにより実現した。
【００１５】
すなわち、間仕切り（１）は、支柱（３）と、第１パネル（５）とを備える。支柱（３）は、横断面における第１方向の両側から設けられた一対の第１スリットを有する。第１パネル（５）は、支柱（３）の第１スリット（１３）に差し込まれて支持され、第１方向に対して交差する第２方向から見たときに第１方向の端部（５ａ）が相互に重なる。
【００１６】
一対の第１スリット（１３）は、第１方向の両側から横断面における中心を交差せずに越えて伸びる構成としてもよい。
【００１７】
また、支柱（３）は、第２方向の両側から設けられた一対の第２スリット（１５）を備えてもよい。この場合、間仕切り（１）は、支柱（３）の第２スリット（１５）に差し込まれて支持される一対の第２パネル（７）を備える。第２パネル（７）は、第２方向で手前側の第１パネル（５）を越えると共に第１方向で側面（７ｂ）に対向させ、且つ第２方向で奥側の第１パネル（５）の側面（５ｂ）に端部（７ａ）が対向する。
【００１８】
一対の第２スリット（１５）は、第２方向において手前側の第１スリット（１３）を越えると共に奥側の第１スリット（１３）に向かって伸びる構成としてもよい。
【００１９】
支柱（３）は、第１及び第２パネル（５、７）の下部を支持する四角柱であってもよい。第１スリット（１３）は、支柱（３）の第２方向に直交する外面から設けられ、第２スリット（１５）は、支柱（３）の第１方向に直交する外面から設けられる。
【００２０】
支柱（３）は、第１及び第２パネル（５、７）の下部を支持し、一対の第１スリット（１３）をそれぞれ区画する一対の第１部材（１９）と、一対の第２スリット（１５）をそれぞれ区画する一対の第２部材（２１）とを備えてもよい。この場合、第１部材（１９）は、第２部材（２１）の端部を第２方向で突き当てた状態で結合され、第２部材（２１）は、第１部材（１９）の端部を第１方向で突き当てた状態で結合される。
【００２１】
間仕切り（１）は、第１及び第２パネル（５、７）の上部を保持する保持部材（９）を備えてもよい。
【００２２】
また、支柱（３）は、柱状の本体部（１１）と、本体部（１１）の横断面における第１方向の両側から設けられた一対の第１スリット（１３）と、本体部（１１）の横断面における第１方向に対して交差する第２方向の両側から設けられた一対の第２スリット（１５）とを備えてもよい。
【００２３】
この場合、第１スリット（１３）は、第１方向で手前側の第２スリット（１５）を越えて奥側の第２スリット（１５）に向かって伸び、第２スリット（１５）は、第２方向で手前側の第１スリット（１３）を越えて奥側の第１スリット（１３）に向かって伸びる。
【実施例１】
【００２４】
［間仕切りの構成］
図１は、本考案の実施例１に係る間仕切りを示す斜視図、図２（Ａ）〜（Ｃ）は、間仕切りの他の構成例を示す概略平面図であり、図２（Ａ）は一対の第２パネルを省略した構成例、図２（Ｂ）は第２パネルの一方を省略した構成例、図２（Ｃ）は複数の間仕切りを連結した構成例である。
【００２５】
本実施例の間仕切り１は、例えば食事中や会議中等に飛沫をブロック可能とするものであり、テーブルや机の上等に簡易的に設置される。ただし、間仕切り１は、床等に設置することも可能であり、また非簡易的なものとして用いてもよい。
【００２６】
かかる間仕切り１は、支柱３と、一対の第１パネル５と、一対の第２パネル７と、保持部材９とで形成されている。なお、本実施例の第１パネル５と第２パネル７とは、相互に平面視において支柱３を中心に９０度回転させた形状であり、第２パネル７を第１パネルとし、第１パネル５を第２パネルとしてもよい。ただし、第１パネル５及び第２パネル７は、中心Ｏ周りに９０度回転させた形状とする必要はない。
【００２７】
間仕切り１は、平面視において十字状を呈し、前後左右に対する間仕切りを構成している。この間仕切り１は、例えば、図２（Ａ）のように、第１パネル５又は第２パネル７を省略することにより、前後、左右、又は斜めに対する間仕切りとして構成することも可能である。また、間仕切り１は、図２（Ｂ）のように、第２パネル７の一方を省略して、平面Ｔ字状にすることも可能である。なお、第２パネル７の一方に代えて、第１パネル５の一方を省略してもよい。また、間仕切り１は、図２（Ｃ）のように、複数の間仕切り１を一方の第１パネル５を共用することで連結して用いることも可能である。この場合も、図２（Ｂ）のように、各間仕切り１において、第２パネル７の一方又は双方（或いは第１パネル５の一方又は双方、もしくは第２パネル７の一方及び第１パネル一方）を省略してもよい。
【００２８】
図３は、図１の間仕切りに用いられる支柱を示す斜視図、図４は、図３の支柱の平面図である。
【００２９】
支柱３は、本体部１１と、一対の第１スリット１３と、一対の第２スリット１５とを有する。なお、第１スリット１３は、第１パネル５を支持するためのものであり、第２スリット１５は、第２パネル７を支持するためのものである。このため、上記のように、第１パネル５を第２パネルとし、第２パネル７を第１パネルとした場合、第１スリット１３が第２スリットとなり、第２スリット１５が第１スリットとなる。
【００３０】
なお、図２（Ａ）の間仕切り１専用の場合は、一対の第２スリット１５を省略してもよい。また、図２（Ｂ）の間仕切り１専用の場合は、第２スリット１５の一方を省略してもよい。
【００３１】
これら第１スリット１３及び第２スリット１５は、第１パネル５及び第２パネル７と同様、相互に平面視において支柱３を中心に９０度回転させた形状である。ただし、第１スリット１３及び第２スリット１５は、中心Ｏ周りに９０度回転させた形状とする必要はない。
【００３２】
本体部１１は、柱状に形成されている。本実施例の本体部１１は、間仕切り１の設置状態で上下方向に沿って長い四角柱となっている。ただし、本体部１１の平面視形状又は横断面形状は、四角柱に限定されるものではなく、支柱３として機能すれば、他の多角形或いは円形や楕円形等とすることも可能である。
【００３３】
なお、平面視とは、支柱３を上方から見た場合をいい、横断面とは、長手方向に交差する断面をいう。なお、上下方向は、間仕切り１を設置した状態での上下方向であり、支柱３の長手方向に一致する。
【００３４】
本体部１１の材質は、木、樹脂、軽金属等で構成することが可能である。ただし、本体部１１の材質は、特定のものに限定されず、非簡易的か簡易的かの用途等に応じて適宜なものを採用すればよい。
【００３５】
第１スリット１３は、支柱３の横断面における第１方向の両側から設けられている。第１方向は、支柱３の横断面における中心Ｏを通る放射方向のうち、任意の方向を意味する。本実施例での第１方向は、本体部１１の平行な一対の側面１１ａに直行する方向をいう。
【００３６】
本実施例の第１スリット１３は、平面視において中心Ｏ周りに１８０度回転した位置に配置され、本体部１１の側面１１ａからそれぞれ第１方向に沿って直状に設けられている。この第１スリット１３は、側面１１ａ上にテーパ面１３ａを介して開口し、その他の部分は第２方向での寸法が一定である。これにより、第１パネル５を差し込みやすく且つがたつきなく支持可能とする。
【００３７】
ただし、第１スリット１３は、平面視において中心Ｏ周りに１８０度回転した位置に配置される必要はなく、第１方向に沿う必要もなく、第１方向に対して何れか一方又は双方が傾斜してもよい。なお、第２方向とは、支柱３の横断面において第１方向と交差する方向を意味する。本実施例の第２方向は、本体部１１の平行な一対の側面１１ｂに直行する方向をいう。
【００３８】
第１スリット１３は、内面に突起を有する形状やウェーブ形状等のように直状でなくてもよい。第１スリット１３がウェーブ形状の場合は、後述する第１パネル５にもウェーブ形状部を設け、上下方向で係合させればよい。
【００３９】
これら第１スリット１３は、第２方向で支柱３の中心Ｏからずれて位置し、第１方向において支柱３の中心Ｏを重ならずに越えて伸びている。また、第１スリット１３は、上下方向において本体部１１の全体にわたっている。
【００４０】
第２スリット１５は、支柱３の横断面における第２方向の両側から設けられている。これら第２スリット１５は、本体部１１の側面１１ｂからそれぞれ第２方向に沿って直状に設けられている。本実施例の第２スリット１５は、平面視において中心Ｏ周りに１８０度回転した位置に配置されている。
【００４１】
ただし、第２スリット１５は、平面視において中心Ｏ周りに１８０度回転した位置に配置される必要はない。
【００４２】
この第２スリット１５は、側面１１ｂ上にテーパ面１５ａを介して開口し、その他の部分は第１方向での寸法が一定である。これにより、第２パネル７を差し込みやすく且つがたつきなく支持可能とする。
【００４３】
なお、第２スリット１５は、第２方向に沿う必要はなく、第２方向に対して何れか一方又は双方が傾斜してもよい。また、第２スリット１５は、第１スリット１３と同様、内面に突起を有する形状やウェーブ形状等のように直状でなくてもよい。第２スリット１５がウェーブ形状の場合は、上記同様、後述する第２パネル７にもウェーブ形状部を設け、上下方向で係合させればよい。
【００４４】
第２スリット１５は、第２方向において手前側の第１スリット１３を交差せずに越えると共に奥側の第１スリット１３に向かって伸びる。手前側とは、第２方向で第２スリット１５の始点となる側面１１ｂに近い方をいい、奥側とは、第２方向で第２スリット１５の始点となる側面１１ｂから遠い方をいう。なお、第２スリット１５は、第１スリット１３に交差してもよい。この場合、第１スリット１３及び第２スリット１５は、全体として格子状に配置される。
【００４５】
第１パネル５は、支柱３の第１スリット１３に差し込まれて支持される。本実施例の第１パネル５は、光透過性を有する材料、例えば塩化ビニルやポリカーボネート等の光透過性樹脂やガラスによって形成された単純な矩形板状体である。なお、第１パネル５は、光透過性を有しない材料で形成してもよい。
【００４６】
第１パネル５の板厚は、第１スリット１３にがたつきなく差し込み可能に設定されている。第１パネル５の上下方向の寸法は、第１スリット１３よりも大きく、且つ第１パネル５の第１方向の寸法も、支柱３よりも大きい。これにより、第１パネル５は、その一部が第１スリット１３内に位置し、大部分が第１スリット１３外に位置する。
【００４７】
この第１パネル５は、支柱３上に位置する第１方向の端部５ａが第２方向から見たときに相互に重なる。なお、第１パネル５は、第１方向の端部５ａが第２方向から見たときに相互に重なればよいので、単純な矩形板状体だけでなく、支柱３上において相互に重なる突出部を有する形態であってもよい。この場合、第１スリット１３は、第１方向において支柱３の中心Ｏを越えない範囲で設けることができる。
【００４８】
第２パネル７は、支柱３の第２スリット１５に差し込まれて支持される。本実施例の第２パネル７は、第１パネル５と同一形状及び同一材質によって形成されている。
【００４９】
すなわち、第２パネル７は、光透過性を有する材料によって形成された単純な矩形板状体であり、板厚が第２スリット１５にがたつきなく差し込み可能に設定され、上下方向の寸法及び第２方向の寸法が第２スリット１５よりも大きい。これにより、第２パネル７は、その一部が第２スリット１５内に位置し、大部分が第２スリット１５外に位置する。
【００５０】
ただし、第２パネル７は、第１パネル５と異なる形状や材質によって形成してもよい。例えば、第２パネル７は、第２方向の寸法を第１パネル５の第１方向の寸法よりも短くしてもよい。
【００５１】
かかる第２パネル７は、少なくとも第２方向で手前側の第１パネル５を越えると共にその端部５ａを第１方向で側面７ｂに対向させ、且つ第２方向で奥側の第１パネル５の側面５ｂに端部７ａが対向するように設けられる。
【００５２】
本実施例において、第２パネル７は、第２方向で支柱３の中心Ｏを越えて伸びている。これにより、第２パネル７は、支柱３上に位置する第２方向の端部７ａが第１方向から見たときに相互に重なる。なお、端部７ａの重なりは、第１パネル５において説明したように、突出部によって行ってもよい。
【００５３】
図５は、図１の間仕切りに用いられる保持部材を示す斜視図、図６は、図５の保持部材の底面図、図７は、図５の保持部材と第１パネルとの係合状態を示す要部断面図である。なお、図７では、第１パネルのみ示し、第２パネルについては括弧書きで符号のみ示し図示を省略する。
【００５４】
保持部材９は、第１及び第２パネル５及び７の上部を保持する。ここで、保持とは、第１及び第２パネル５及び７の上部の位置関係を保持することを意味する。
【００５５】
本実施例の保持部材９は、第１及び第２パネル５及び７の端部５ａ及び７ａ上に載置されている。この保持部材９は、格子状溝９ａを有し、格子状溝９ａに第１及び第２パネル５及び７の上部を入れ込むことで第１及び第２パネル５及び７の上部に係合する。
【００５６】
本実施例の保持部材９は、板状の部材本体９ｂから格子溝９ａを区画する区画壁部９ｃを立設し、部材本体９ｂの外周に側壁部９ｄを設けている。側壁部９ｄには、第１パネル５（第２パネル７）の上縁に設けられた凹部５ｃ（７ｃ）に係合する切欠き９ｅが形成されている。
【００５７】
［組み立て等］
本実施例の間仕切り１は、単純な板状体の第１パネル５及び第２パネル７の端部５ａ及び７ａをそれぞれ支柱３の第１スリット１３及び第２スリット１５に差し込むだけで容易に組み立てることができる。これにより、第１パネル５及び第２パネル７を挟む間仕切り領域Ｒが間仕切り１によって区切られることになる。
【００５８】
本実施例では、保持部材９を第１及び第２パネル５及び７の端部５ａ及び７ａ上に載置することで、第１及び第２パネル５及び７の上部を保持して、間仕切り１の強度が向上する。このとき、保持部材９の切欠き９ｅが第１パネル５及び第２パネル７の凹部５ｃ及び７ｃに係合することで、第１パネル５及び第２パネル７の開きを規制し、より間仕切り１の強度が向上する。
【００５９】
間仕切り１の組立て状態では、第２パネル７及び第１パネル５が、何れも第１方向及び第２方向から見たときに端部７ａ相互及び端部５ａ相互が重なっている。従って、本実施例では、支柱３上に空間部Ｓが生じるが、間仕切り１によって区切られた間仕切り領域Ｒが空間部Ｓを介して向かい合う方向において直線的に連通することはない。ここで向かい合う方向とは、間仕切り１を挟んで領域Ｒ相互が向かい合う方向であり、第１方向及び第２方向並びに対角方向である。
【００６０】
従って、間仕切り１では、空間部Ｓを介した前後、左右、斜めへの飛沫を確実にブロックすることができる。なお、第２パネル７は、端部７ａ相互が重なっていなくても、少なくとも第２方向で手前側の第１パネル５を越えると共にその端部５ａを第１方向で側面７ｂに対向させ、且つ第２方向で奥側の第１パネル５の側面５ｂに端部７ａが対向するように設けられれば、飛沫はブロックできる。
【００６１】
また、本実施例の間仕切り１では、第１パネル５のみを支柱３に支持することにより、前後又は左右の間仕切りとして構成することができる。この場合、空間部Ｓを介した前後、左右、又は斜めへの飛沫を確実にブロックすることができる。
【００６２】
また、図２（Ｃ）のように複数の間仕切り１を連結する際は、一つの第１パネル５を複数の間仕切り１間で共用する。すなわち、複数の間仕切り１の支柱３の側面１１ａを対向させ、相互に対向する側面１１ａの第１スリット１３に第１パネル５の両端部５ａを差し込む。そして、各支柱３の残りの第１スリット１３及び一対の第２スリット１５に、第１パネル５及び一対の第２パネル７の端部５ａ及び７ａを差し込むことで、連結した複数の間仕切り１を容易に組み立てることができる。
【００６３】
これにより、上記同様、各間仕切りの空間部Ｓを介した前後、左右、斜めへの飛沫を確実にブロックすることができる。
【００６４】
［効果］
以上説明したように、本実施例の間仕切り１は、横断面における第１方向の両側から設けられた一対の第１スリット１３を有する支柱３と、支柱３の第１スリット１３に差し込まれて支持され、第１方向に対して交差する第２方向から見たときに第１方向の端部５ａが相互に重なる一対の第１パネル５と、を備える。
【００６５】
従って、本実施例の間仕切り１は、前後又は左右の間仕切り領域Ｒを区切ることで、飛沫を確実にブロックすることができる。特に、支柱３が第１パネル５よりも短いことによって支柱３上に空間部Ｓが形成されても、空間部Ｓを介した前後又は左右への飛沫を確実にブロックすることができる。
【００６６】
一対の第１スリット１３は、第１方向の両側から横断面における中心を交差せずに越えて伸びる。
【００６７】
従って、本実施例では、第１パネル５を単純な板状体にしながら第１パネル５の端部５ａを確実に重ねることができ、構成の簡素化や組立ての容易化を図ることができる。
【００６８】
本実施例の間仕切り１は、支柱３の第２方向の両側から設けられた一対の第２スリット１５と、支柱３の第２スリット１５に差し込まれて支持され、第２方向で手前側の第１パネル５を越えると共にその端部５ａを第１方向で側面７ｂに対向させ、且つ第２方向で奥側の第１パネル５の側面５ｂに端部７ａが対向する一対の第２パネル７とを備える。
【００６９】
従って、本実施例の間仕切り１は、前後左右の間仕切り領域Ｒを区切りつつ、支柱３上に空間部Ｓが形成されても、空間部Ｓを介した前後、左右、斜めへの飛沫を確実にブロックすることができる。特に、本実施例では、第２パネル７の第２方向の端部７ａが第１方向から見たときに相互に重なるため、より確実に飛沫をブロックできる。
【００７０】
一対の第２スリット１５は、第２方向において手前側の第１スリット１３を越えると共に奥側の第１スリット１３に向かって伸びる。
【００７１】
従って、第２パネル７を単純な板状体にしながら上記のように第２パネル７を第１パネル５に対して配置することができ、構成の簡素化や組立ての容易化を図ることができる。
【００７２】
支柱３は、第１及び第２パネル５及び７の下部を支持する四角柱であり、第１スリット１３は、支柱３の第２方向に直交する側面１１ａから設けられ、第２スリット１５は、支柱３の第１方向に直交する外面１１ｂから設けられる。
【００７３】
従って、本実施例の間仕切り１は、より構成を簡素化することができると共に、より容易に組み立てることができる。
【００７４】
また、本実施例の間仕切り１は、第１及び第２パネル５及び７の上部を保持する保持部材９を備えることで強度が向上する。特に、本実施例の保持部材９では、切欠き９ｅが第１パネル５及び第２パネル７の凹部５ｃ及び７ｃに係合するため、第１パネル５及び第２パネル７の開きを規制し、より間仕切り１の強度を向上できる。
【実施例２】
【００７５】
図８は、本発明の実施例２に係る間仕切りに用いられる支柱を示す斜視図、図９は、図８の支柱を示す概略平面図である。本実施例では、実施例１と同一構成に同符号を付して重複した説明を省略する。
【００７６】
本実施例では、支柱３の構造を実施例１に対して変更している。その他は、実施例１と同一である。
【００７７】
本実施例の支柱３は、一対の支柱片１７を結合して構成されている。各支柱片１７は、同一構成であり、第１部材１９と、第２部材２１とが一体に構成されている。
【００７８】
第１部材１９及び第２部材２１は、それぞれ第１スリット１３及び第２スリット１５を区画する。本実施例の第１部材１９及び第２部材２１は、同一形状であり、何れも一対の対向壁部２３を備える。第１部材１９の対向壁部２３は、第１スリット１３を介して対向し、第２部材の対向壁部２３は、第２スリット１５を介して対向している。
【００７９】
第１部材１９の側面１９ａには、一対の係合アーム２５が一体に設けられている。係合アーム２５は、弾性的に変位して他の支柱片１７の第２部材２１に形成されている係合突起２７を係合させる。第１部材１９の端部には、連結壁部２９を介して第２部材２１が連結されている。第２部材２１の端部には、他の支柱片１７の第１部材１９に形成されている一対の係合アーム２５に係合する係合突起７が設けられている。
【００８０】
かかる実施例２でも、実施例１と同様の作用効果を奏することができる。
【符号の説明】
【００８１】
１  間仕切り
３  支柱
５  第１パネル
５ａ  端部
５ｂ  側面
７  第２パネル
７ａ  端部
７ｂ  側面
９  保持部材
１１  本体部
１１ａ  側面
１１ｂ  側面
１３  第１スリット
１５  第２スリット
１９  第１部材
２１  第２部材
【図１】
0003228453.tif 000003
【図２】
0003228453.tif 000004
【図３】
0003228453.tif 000005
【図４】
0003228453.tif 000006
【図５】
0003228453.tif 000007
【図６】
0003228453.tif 000008
【図７】
0003228453.tif 000009
【図８】
0003228453.tif 000010
【図９】
0003228453.tif 000011